(57)【特許請求の範囲】
【請求項１】
ヒータが配設された加熱室を備えた本体に、前記加熱室の開口部を開閉する扉体と、前記開口部に隣接する樹脂製の操作パネルとを備えたオーブントースターであって、
前記加熱室内の熱が伝熱される金属製の枠体と前記操作パネルとが、断熱部材を介して配設され、
前記断熱部材が、前記枠体と前記操作パネルとの間に位置して、前記枠体を介する前記操作パネルへの伝熱を遮断する第１断熱部と、前記操作パネルと前記開口部に臨む部位との間に位置して、前記加熱室内から前記開口部を介して外部に流出する熱風による前記操作パネルへの伝熱を遮断する第２断熱部とを一体的に備えた方形の枠部材で構成され、
前記操作パネルが前記枠部材に嵌合配置されたオーブントースター。
【請求項２】
前記第２断熱部は、前記操作パネルの側面のうち前記開口部を臨む側面側において、前記操作パネルの上下方向の全高または左右方向の全幅に亘って配設されている請求項１に記載のオーブントースター。
【請求項３】
前記操作パネルの裏面側には、前記操作パネルと前記断熱部材と基板ボックスとで囲繞される空間が形成されている請求項１又は２に記載のオーブントースター。
【請求項４】
前記操作パネル、前記断熱部材及び前記基板ボックスが、固定手段により一体固定されている請求項３に記載のオーブントースター。
【請求項５】
前記枠体に、前記断熱部材、前記基板ボックス及び前記操作パネルの順で挿入され、前記断熱部材、前記基板ボックス及び前記操作パネルが前記固定手段により前記枠体に前記枠体の裏面から一体固定されている請求項４に記載のオーブントースター。
【発明の詳細な説明】
【技術分野】
【０００１】
本発明は、ヒータが配設された加熱室を備えた本体に、加熱室の開口部を開閉する扉体と、開口部に隣接する樹脂製の操作パネルとを備えたオーブントースターに関する。
【背景技術】
【０００２】
かかるオーブントースターにおいて、例えば、特許文献１に示すように、加熱室（調理庫２）は、上下側、左右側及び後側が金属性の板状体（左右側板３，反射板４）で囲繞されており、前側に開口部が形成されている。そして、加熱室内の上部に２本、加熱室内の下部に１本の合計３本の赤外線ヒータ（ヒータ１１ａ，１１ｂ，１２）が、加熱室内の左右側の両板状体間に亘って延設されている。また、本体前側には、加熱室の開口部を開閉する扉体（扉８）と、開口部（扉体）の下方に樹脂製の操作パネル（パネル１７）とが配設されている。この操作パネルは、樹脂の弾性を利用して作動する複数のスイッチ（スイッチ部１７ｃ）を備えており、加熱室を形成する金属製の板状体に金属製の枠体（前板１４）を介して固定されている。なお、カッコ内の名称及び参照符号は、参考のため、特許文献１の記載から引用した。
【先行技術文献】
【特許文献】
【０００３】
【特許文献１】特開２００２−２０６７５０号公報
【発明の概要】
【発明が解決しようとする課題】
【０００４】
しかしながら、特許文献１に開示のオーブントースターでは、樹脂製の操作パネルが、加熱室を形成して高温となる金属製の板状体（左右側板３，反射板４）に熱的に接続される金属製の枠体（前板１４）に、直接接触する状態で保持固定されているため、加熱室の熱が金属製の枠体を介して操作パネルに伝熱し、操作パネルが加熱されて高温になる虞がある。
また、操作パネルを、本体前面における加熱室の開口部の下方や周囲に配設した場合には、扉体と枠体等との間に形成された隙間を介して、或いは、扉体の開閉によって、加熱室内から流出する高温の熱風が操作パネルの近傍に接触する状態で流動し、当該操作パネルが加熱されて高温になる虞がある。
このように樹脂製の操作パネルに、加熱室からの熱が伝熱してしまうと、操作パネルが熱劣化や熱変形してしまう虞があり、製品寿命が短くなるという問題がある。
【０００５】
特に、操作パネルに備えられた複数のスイッチは樹脂の弾性を利用するものであるため、この樹脂は柔らかく靭性の高い樹脂材料であることが条件とされるが、一般的にこのような樹脂材料は耐熱温度が低く、熱劣化や熱変形を生じ易い。そのため、上述のように、樹脂製の操作パネルに伝熱して高温になると、熱劣化や熱変形を生じて製品の寿命が短くなり易いという問題がより生じ易くなる。
一方で、操作パネルを耐熱性の高い樹脂で形成することもできるが、そのような耐熱性の高い樹脂材料は高価でありコスト高となる問題が発生する。
【０００６】
本発明は、かかる事情に鑑みてなされたものであり、その目的は、加熱室からの伝熱を良好に遮断し樹脂製の操作パネルの熱劣化や熱変形を防止して長寿命化を図りつつ、製造コストを削減可能なオーブントースターを提供することにある。
【課題を解決するための手段】
【０００７】
上記目的を達成するための本発明に係るオーブントースターは、
ヒータが配設された加熱室を備えた本体に、前記加熱室の開口部を開閉する扉体と、前記開口部に隣接した樹脂製の操作パネルとを備えたオーブントースターであって、その特徴構成は、
前記加熱室内の熱が伝熱される金属製の枠体と前記操作パネルとが、断熱部材を介して配設され、
前記断熱部材が、前記枠体と前記操作パネルとの間に位置して、前記枠体を介する前記操作パネルへの伝熱を遮断する第１断熱部と、前記操作パネルと前記開口部に臨む部位との間に位置して、前記加熱室内から前記開口部を介して外部に流出する熱風による前記操作パネルへの伝熱を遮断する第２断熱部とを一体的に備えた方形の枠部材で構成され、
前記操作パネルが前記枠部材に嵌合配置された点にある。
【０００８】
上記特徴構成によれば、加熱室内の熱が伝熱される金属製の枠体と操作パネルとが、断熱部材の第１断熱部を介して配設されるので、枠体と操作パネルとの隣接間に第１断熱部が配設された状態となり、操作パネルを金属製の枠体に取り付けても、枠体を介する操作パネルへの直接的な伝熱を第１断熱部によって良好に遮断できる。
また、操作パネルと開口部に臨む部位との間には断熱部材の第２断熱部が配設されているので、加熱室内から開口部を介して外部に流出する高温の熱風が到達する箇所に第２断熱部が配設された状態となり、当該熱風が直接接触することによる操作パネルへの直接的な伝熱を第２断熱部によって良好に遮断することができる。
特に、断熱部材に第１断熱部及び第２断熱部が一体的に設けられているので、この断熱部材を設けることのみで、高温の枠体および高温の熱風から樹脂製の操作パネルへの伝熱を同時に、しかも簡易な構成で良好に遮断することができる。
さらに、操作パネルを方形の断熱部材（枠部材）に嵌合配置するだけで、操作パネルの周囲に断熱部材を配設することができるので、簡易な構成で、加熱室内から操作パネルへの伝熱を遮断することができる。
これにより、加熱室からの伝熱を良好に遮断し樹脂製の操作パネルの熱劣化や熱変形を防止して長寿命化を図りつつ、製造コストを削減することができる。
【００１１】
本発明に係るオーブントースターの更なる特徴構成は、前記第２断熱部は、前記操作パネルの側面のうち前記開口部を臨む側面側において、前記操作パネルの上下方向の全高または左右方向の全幅に亘って配設されている点にある。
【００１２】
上記特徴構成によれば、第２断熱部が操作パネルの開口部を臨む側面側の上下方向の全高または左右方向の全幅に亘って配設されているので、開口部を臨む側面側の上下方向または左右方向の全域において操作パネルが第２断熱部により熱から遮断されており、加熱室の開口部の上下方向または左右方向におけるいずれの位置から高温の熱風が操作パネル側に流出した場合でも、当該操作パネルへの伝熱を確実に遮断することができる。これにより、樹脂製の操作パネルの熱劣化や熱変形を防止して長寿命化をより一層図ることができる。
また、操作パネルの開口部を臨む側面側、つまり、加熱室の開口部から流出する熱風に晒される側のみに第２断熱部を設けることで、操作スイッチの配置スペースとなる操作パネル前面部分を広く取ることができ、さらには、熱風が流出しない側面側において第２断熱部を設けるための材料および加工コストを削減することができ、製造コストをより一層削減することができる。
【００１３】
本発明に係るオーブントースターの更なる特徴構成は、前記操作パネルの裏面側には、前記操作パネルと前記断熱部材と基板ボックスとで囲繞される空間が形成されている点にある。
【００１４】
上記特徴構成によれば、操作パネルの裏面側に、操作パネルと断熱部材と基板ボックスとで囲繞された空間が形成されており、例えば、基板ボックスが、板状の操作パネルと断熱部材が設けられる側に開口部を有する略直方体形状とされて、開口部が操作パネルの裏面と断熱部材によって略塞がれた状態とされ、当該空間内への水の浸入を防止することができる。これにより、当該空間内に操作パネルのスイッチの感応部等を備えた制御基板や電力供給を制御する電源基板を配設することで、水の影響により制御基板や電源基板等が誤作動或いは破損することを良好に防止することができる。
また、基板ボックスにより、加熱室内から制御基板や電源基板等への伝熱、更には操作パネルの裏面側から操作パネルへの伝熱を、ある程度防止することができる。
【００１５】
本発明に係るオーブントースターの更なる特徴構成は、前記操作パネル、前記断熱部材及び前記基板ボックスが、固定手段により一体固定されている点にある。
【００１６】
上記特徴構成によれば、操作パネル、断熱部材及び基板ボックスが、固定手段により一体固定されているので、各部材を固定するために個別の固定部を設ける必要がなく、簡易な構成としながら、各部材を強固に結びつけて固定することができる。
【００１７】
本発明に係るオーブントースターの更なる特徴構成は、前記枠体に、前記断熱部材、前記基板ボックス及び前記操作パネルの順で挿入され、前記断熱部材、前記基板ボックス及び前記操作パネルが前記固定手段により前記枠体に前記枠体の裏面から一体固定されている点にある。
【００１８】
上記特徴構成によれば、枠体に断熱部材、基板ボックス、操作パネルの順で挿入し、その後、この配置順で、固定手段により各部材を枠体に、枠体の裏面から一体固定するので、例えば、固定手段としてビスを採用した場合には、単に各部材をビスで枠体に、枠体の裏面から一体固定するだけで、容易に組立てが完了することとなる。しかも、ビスが表面側に露出することなく外観を美しいものとしながら、一体固定することができる。
これにより、組み立てを容易に行うことが可能な構成として製造コストをより一層削減することができながら、上述のとおり、外観を美しいものとしながら、加熱室内からの伝熱を断熱部材により遮断する構成とすることができる。
【図面の簡単な説明】
【００１９】
【図１】本発明に係るオーブントースターの斜視図
【図２】オーブントースターの操作部近傍の分解斜視図
【図３】オーブントースターの操作部近傍の組み立て状態を示す分解横断面図
【図４】オーブントースターの操作部近傍の横断面図
【図５】別実施形態（Ａ）に係るオーブントースターの操作部近傍の横断面図
【発明を実施するための形態】
【００２０】
以下、本発明に係るオーブントースターの実施形態を、図面に基づいて説明する。
図１に示すように、オーブントースターの本体１は、前面側が開口した概略直方体の筐体２と、ヒータ３が配設されて反射板４で形成された加熱室５と、その加熱室５の開口部５ａを形成する金属板体Ｖと、その開口部５ａを開閉する透明窓６ａを有する扉体６と、開口部５ａの周囲となる本体１の前面右側（筐体２を開口部側から見て右側）に設けられた操作部８より構成されている。
【００２１】
筐体２内には加熱室５が設けられており、その加熱室５は、前方に位置する開口部５ａを除き、反射板４が上下左右および後方に設けられて形成されている。加熱室５に設けられたヒータ３は赤外線ヒータであり、加熱室５の上部に２本および加熱室５の下部に２本の計４本の赤外線ヒータが、それぞれ加熱室５の左右方向に延びる状態で設けられている。また、加熱室５内には、前後にスライド自在に設けられた焼網９が備えられている。なお、図１では、焼網９の矩形状の枠部のみ図示し、枠部の中央部に設けられる網目部分については図示を省略した。
【００２２】
加熱室５の開口部５ａを開閉する扉体６は、開口部５ａの下部において開閉自在に支持されて本体１に取り付けられている。そして、この扉体６の加熱室５側には、支持体把持部６ｂが設けられて焼網９が把持されており、これにより、この扉体６の開閉に連動して焼網９が前後にスライドする。
【００２３】
金属板体Ｖは、加熱室５の開口部５ａの周縁部と、後述する操作部８を取り付ける取付枠Ｃを一体的に備えて形成されている。そして、取付枠Ｃは加熱室５を形成する反射板４と接続されているので、加熱室５の熱が伝熱されて高温となる。また、取付枠Ｃは、取付枠Ｃの上部に設けられたボルト孔Ｃ２および取付枠Ｃの下部に設けられたネジ孔Ｃ３によってネジで締付け固定され、さらに、図示しないその他の固定部においても本体１と固定されている。そして、取付枠Ｃには、開口部Ｃ４の周縁部から後方に延びるアーム部の先端に貫通孔を有する固定用凸部Ｃａが設けられている。
【００２４】
次に、操作部８の構成について、図２および図３に基づいて説明する。なお、図２はオーブントースターの操作部近傍の分解斜視図であり、図３はオーブントースターの操作部近傍の組み立て状態を示す分解横断面図である。本体１の前面右側において、高さ方向に長い略長方形に形成された操作部８が設けられている。操作部８には、各種スイッチ１０、ロータリースイッチ１１および液晶モニタ１２が配置されている。操作部８は本体１の前面に設けられた操作パネルＦと、その操作パネルＦの裏面（後面）側に設けられた基板ボックスＥとで構成されている。
【００２５】
板状の操作パネルＦは樹脂製とされ、樹脂の弾力性を利用して動作するスイッチ１０、および、ロータリースイッチ１１、液晶モニタ１２の開口部Ｆｂが配置されている。また、操作パネルＦの表面は装飾および防水用の表面シートＦｃで覆われており、一方、操作パネルＦの裏面には、裏面の左右にそれぞれ４か所ずつ計８か所にネジ穴が設けられた円筒状の凸部Ｆａが裏面から後方に延びる状態で設けられている。また、操作パネルＦは、ポリプロピレンやアクリロニトリルとブタジエンとスチレンの共重合ポリマーを主成分とするＡＢＳ樹脂等の樹脂材料から構成される。
【００２６】
操作パネルＦと断熱部材Ｄが設けられる側に開口部を有する略直方体形状とされる基板ボックスＥは、操作パネルＦの裏面側に設けられ、液晶モニタ１２、操作パネルＦに設けられたスイッチ類と連動して動作する電子部品類およびそれらの電子部品類と接続されているは回路基板（図示せず）が内部に収容されている。また、基板ボックスＥの両側面には、取付枠Ｃの固定用凸部Ｃａの形状に合わせて、左右それぞれの側面に４本ずつの溝部Ｅｂが、基板ボックスＥの前面側から裏面側に前後方向に延びる状態で形成されるとともに、基板ボックスＥを取付枠Ｃに固定するための貫通孔を備えた固定用凸部Ｅａが、その貫通孔の孔軸方向が溝部Ｅｂの延びる方向と同じ方向となるように溝部Ｅｂに設けられている。そして、基板ボックスＥの裏面には、遮熱板Ｂをネジで挟持して締付け固定するためのネジ穴を備えた凸部Ｅｃが形成されている。
【００２７】
断熱部材Ｄは、取付枠Ｃと操作パネルＦとの間に位置して、取付枠Ｃを介する操作パネルＦへの伝熱を遮断する第１断熱部Ｄ１と、操作パネルＦと開口部５ａに臨む部位との間に位置して、加熱室５から開口部５ａを介して流出する熱風Ｈによる操作パネルＦへの伝熱を遮断する第２断熱部Ｄ２とが一体的に備えられている。また、方形の枠部材とされる断熱部材Ｄは、第２断熱部Ｄ２を備えて、本体１に取り付けた状態で操作パネルＦの裏面と接触する前方枠部Ｄｆと、その前方枠部Ｄｆの後方において、前方枠部Ｄｆより小さい方形の枠体形状とされて、枠体の後端部の内側に取付枠Ｃを介して本体１と接続するための貫通孔を有する固定用凸部Ｄａを備えた後方枠部Ｄｇとによって一体的に構成されている。ここで、第２断熱部Ｄ２は、操作パネルＦの両側面のうち開口部５ａを臨む側面側において、操作パネルＦの上下方向の全高に亘って配設されている。また、断熱部材Ｄは、ポリブチレンテレフタレート（ＰＢＴ）やフェノール樹脂等の樹脂材料から構成される。なお、断熱部材Ｄを構成する樹脂材料は、操作パネルＦや基板ボックスＥを構成する断熱材料よりも耐熱性を有するものであれば、他の材料でも構わない。
【００２８】
また、基板ボックスＥよりも加熱室５側において、加熱室５から操作部８に伝わる熱を遮熱する遮熱板Ｂが設けられている。遮熱板Ｂは、ネジ穴Ｂｃに固定用ネジＰ（図４参照）を挿入して基板ボックスＥの裏面の凸部Ｅｃに設けられたネジ穴に締付けて固定されている。固定された状態では、遮熱板Ｂは取付枠Ｃの側面部Ｃｂの内周面側に遮熱板Ｂの側面部Ｂｂが接続される状態となる（図４参照）。
【００２９】
次に、図２および図３に基づいて、断熱部材Ｄ、基板ボックスＥ及び操作パネルＦの本体１への取り付けについて説明する。まず、反射板４に接続された取付枠Ｃの開口部Ｃ４に、断熱部材Ｄ、基板ボックスＥ及び操作パネルＦの順で挿入し、ネジＲを取付枠Ｃ、断熱部材Ｄおよび基板ボックスＥのそれぞれに設けられた固定用凸部Ｃａ、Ｄａ、Ｅａの各貫通孔に、取付枠Ｃの裏面から貫通させて、操作パネルＦの凸部Ｆaに設けられたネジ穴に締め付け固定することで本体１に一体固定される。
【００３０】
取付枠Ｃの長方形形状の開口部Ｃ４には、断熱部材Ｄの後方枠部Ｄｇが組み込み可能で、取付枠Ｃの前面部Ｃ５が断熱部材Ｄの前方枠部Ｄｆの裏面に当接するような開口寸法とされている。そして、取付枠Ｃの開口部Ｃ４に断熱部材Ｄの後方枠部Ｄｇを挿入すると、取付枠Ｃの前面部Ｃ５が断熱部材Ｄの前方枠部Ｄｆの裏面に当接するとともに、断熱部材Ｄの固定用凸部Ｄａと取付枠Ｃの固定用凸部Ｃａとが当接するように構成されている。
そして、基板ボックスＥの固定用凸部Ｅａの裏面が、断熱部材Ｄの固定用凸部Ｄａの前面側に当接されるまで基板ボックスＥの溝部Ｅｂを断熱部材Ｄの固定用凸部Ｄａに係合させつつ基板ボックスＥを断熱部材Ｄの後方枠部Ｄｇ内に挿入する。
次に、すでに取付枠Ｃに組み込まれた基板ボックスＥおよび断熱部材Ｄの前面側から、基板ボックスＥの溝部Ｅｂと後方部材Ｄｇの固定用溝部Ｄｂに操作パネルＦのネジ穴を備えた凸部Ｆａを挿入しつつ、基板ボックスＥの溝部Ｅｂに設けられた固定用凸部Ｅａの前面側に操作パネルＦのネジ穴を備えた凸部Ｆａの裏面を当接させる。
【００３１】
このように互いに組み立てられた状態で、取付枠Ｃの固定用凸部Ｃａ、断熱部材Ｄの固定用凸部Ｄａ基板ボックスＥの固定用凸部Ｅａが、それぞれ基板ボックスＥの溝部Ｅｂに嵌め込まれて並んだ状態となっている。ここで、取付枠Ｃ側（裏面側）からネジＲを挿入し、操作パネルＦの凸部Ｆａに設けられるネジ穴に締め付けすることで、取付枠Ｃ、断熱部材Ｄ、基板ボックスＥおよび操作パネルＦが一体固定される。
【００３２】
図４にオーブントースターの操作部近傍の横断面図を示す。このように、一体固定された状態では、加熱室５の熱が伝熱される取付枠Ｃと操作パネルＦとが、断熱部材Ｄの第１断熱部Ｄ１を介して配設された状態となる。この時、断熱部材Ｄの固定用溝部Ｄｂに操作パネルＦのネジ穴が設けられた円筒状の凸部Ｆａが嵌合配置される状態となっている。そして、断熱部材Ｄの前方枠部Ｄｆは、操作パネルＦの外周部を包含する大きさとされ、前方枠部Ｄｆの前面と操作パネルＦの裏面が当接する状態となっている。
操作パネルＦと開口部５ａに臨む部位との間に位置する第２断熱部Ｄ２は、操作パネルＦの側面のうち開口部５ａを臨む側面側において、操作パネルＦの上下方向の全高に亘って配設される。第２断熱部Ｄ２の前面側は前後方向において、操作パネルＦの前面と並ぶ状態で設けられている
【００３３】
また、一体固定された状態においては、操作パネルＦの裏面側には、操作パネルＦと断熱部材Ｄと基板ボックスＥとで囲繞される空間Ｓが形成されている。例えば、基板ボックスＥが、板状の操作パネルＦと断熱部材Ｄが設けられる側に開口部を有する略直方体形状とされて、開口部が操作パネルの裏面と断熱部材によって略塞がれた状態とされた空間Ｓ内には、操作パネルＦに設けられたスイッチ１０およびロータリースイッチ１１と連動して動作する感応部等の電子部品類（図示せず）およびこれらの電子部品類と接続されている回路基板（図示せず）が収容されている。ここで、回路基板としては、例えば、操作パネルＥのスイッチ１０の感応部等を備えた制御基板や電力供給を制御する電源基板がある。
【００３４】
〔温度計測結果〕
上記実施形態に係るオーブントースターにおいて、操作パネルＦをポリプロピレン（ＰＰ）で形成し、断熱部材Ｄをポリブチレンテレフタレートで形成して、ヒータ３を最高出力で加熱した状態で、図４に示した断熱部材Ｄの開口部５ａ側の測定点Ａ１および断熱部材Ｄの操作パネルＦ側の測定点Ａ２の温度を測定した。結果、測定点Ａ１では１３５℃であり、測定点Ａ２では１１３℃であった。
ここで、一般的に、ポリプロピレンの熱変形温度は１１５℃、溶解温度は１７０℃とされ、ポリブチレンテレフタレートの熱変形温度は２００℃、溶解温度は２２５℃とされる。
【００３５】
従って、上記温度測定結果において、断熱部材Ｄの開口部５ａ側の測定点Ａ１は１３５℃であるが、断熱部材Ｄ（ポリブチレンテレフタレート）の熱変形温度（２００℃）および溶解温度（２２５℃）よりも低い温度である。また、断熱部材Ｄの操作パネルＦ側の測定点Ａ２の温度は１１３℃であり、断熱部材Ｄにより効果的に断熱されて、隣接する操作パネルＦ（ポリプロピレン）の熱変形温度（１１５℃）および溶解温度（１７０℃）よりも低い温度である。
【００３６】
よって、加熱室５から操作パネルＦへの伝熱を断熱部材Ｄ（第１断熱部Ｄ１及び第２断熱部Ｄ２）により良好に遮断して、操作パネルＦの温度上昇を防止しながら、操作パネルＦが熱変形することを防止しつつ、熱劣化の進行を遅くして、製品の長寿命化を図ることができる。
一方で、断熱部材Ｄが配設されず、測定点Ａ１に操作パネルＦ（ポリプロピレン）が配置されるとすると、測定点Ａ１は１３５℃となるため、操作パネルＦは熱変形温度（１１５℃）以上の温度に晒されることとなる。この場合、操作パネルＦの温度が上昇して、操作パネルＦの熱変形の発生の可能性が高くなるとともに、熱劣化の速度が速められることとなる。
【００３７】
〔別実施形態〕
（Ａ）上記実施形態においては、断熱部材Ｄにおいて、前方枠部Ｄｆと後方枠部Ｄｇを一体的に構成したが、これに限らず、図５に示すように、前方枠部Ｄｆと後方枠部Ｄｇを個別に構成してもよい。この場合、前方枠部Ｄｆが本願にいう、第１断熱部Ｄ１および第２断熱部Ｄ２を備えた断熱部材Ｄとなる。この場合、図４に示す取付枠Ｃの、開口部Ｃ４の周縁部から後方に延びて先端に固定用凸部Ｃａを備えたアーム部を削除して、図５に示すように、前方枠部Ｄｆと後方枠部Ｄｇとによって取付枠Ｃが前面側と裏面側から挟み込まれた状態で、後方枠部Ｄｇ、基板ボックスＥおよび操作パネルＦがネジＲで締め付けられて一体固定され、前方枠部Ｄｆが操作パネルＦの裏面に押えられた状態で一体固定されている。
これにより、高温となる取付枠Ｃと断熱部材Ｄとの接触面積を小さくすることができ、取付枠Ｃから断熱部材Ｄに伝えられる熱がより少なくなるため、操作パネルＦへ伝わる熱を少なくすることができ、操作パネルＦの熱劣化及び熱変形を防止することができる。
なお、上記実施形態においては、遮熱板Ｂを取付枠Ｃと接触させて構成したが、本別実施例では、遮熱板Ｂは取付枠Ｃと接触せずに、断熱部材Ｄの後方枠部Ｄｇの裏面に接触させた状態とされている。
【００３８】
（Ｂ）上記実施形態においては、操作パネルＦを本体１の前面右側に設けたが、これに限らず、操作パネルＦを本体１の前面左側に設けてもよいし、本体１の前面下部または上部に設けてもよい。
【００３９】
（Ｃ）上記実施形態においては、それぞれ個別に構成された取付枠Ｃ、反射板４および遮熱板Ｂが接続されているが、これに限らず、反射板４と取付枠Ｃを一部材で構成してもよいし、遮熱板Ｂと取付枠Ｃを一部材で構成してもよい。また、反射板４と遮熱板Ｂと取付枠Ｃを一部材で構成してもよい。さらに、遮熱板Ｂを２重構造としてもよい。
【産業上の利用可能性】
【００４０】
以上説明したように、加熱室からの伝熱を良好に遮断し樹脂製の操作パネルの熱劣化や熱変形を防止して長寿命化を図りつつ、製造コストを削減可能なオーブントースターを提供することができた。
【符号の説明】
【００４１】
１    本体
３    ヒータ
５    加熱室
５ａ  開口部
６    扉体
Ｃ    取付枠（枠体）
Ｄ    断熱部材
Ｄ１  第１断熱部
Ｄ２  第２断熱部
Ｅ    基板ボックス
Ｆ    操作パネル
Ｈ    熱風
Ｒ    ネジ（固定手段）
Ｓ    空間
【図１】
0005703124.tif 000002
【図２】
0005703124.tif 000003
【図３】
0005703124.tif 000004
【図４】
0005703124.tif 000005
【図５】
0005703124.tif 000006